【手続補正書】
【提出日】平成21年5月1日(2009.5.1)
【手続補正１】
【補正対象書類名】特許請求の範囲
【補正対象項目名】全文
【補正方法】変更
【補正の内容】
【特許請求の範囲】
【請求項１】
インスタント・メッセージング・セッションに参加する複数のクライアントの中の第１のクライアントにより、前記インスタント・メッセージング・セッションに参加する前記複数のクライアントの中の第２のクライアントからのサーチ・クエリを受け取るステップと、
前記サーチ・クエリの受け取り時に、前記第１のクライアントのユーザに対して、前記サーチ・クエリがリクエストされたことを示し且つ前記ユーザにサーチの実行を受理する又は断ることを許容する通知を表示するステップと、
ポップ・アップ・メニュによってサーチ・オプションを提供するステップであって、前記サーチ・オプションが、（i）前記インスタント・メッセージング・セッションに参加する複数のクライアントの中の少なくとも１つのクライアントの近くでサーチすること、（ii）前記インスタント・メッセージング・セッションに参加する他のクライアントの近くでサーチすること、（iii）前記インスタント・メッセージング・セッションに参加する複数のクライアントの中の少なくとも１つのクライアントと前記インスタント・メッセージング・セッションに参加する他のクライアントとの間でサーチすること、及び（iv）前記インスタント・メッセージング・セッションに参加する複数のクライアントの中の少なくとも１つのクライアント又は前記インスタント・メッセージング・セッションに参加する他のクライアントによって指定される特定の場所でサーチすることを含むステップと、
前記第１のクライアントのユーザが前記サーチの実行を許容するならば、前記サーチ・クエリと選択されたサーチ・オプションとを用いて前記サーチを実行するステップと、
前記インスタント・メッセージング・セッションの間に前記複数のクライアントの中の少なくとも１つのクライアントによる出力のためにサーチ結果を受け取るステップと、
を含むことを特徴とする方法。
【請求項２】
請求項１記載の方法において、前記サーチ・クエリは、前記インスタント・メッセージング・セッションの間にインスタント・メッセージを表示するように構成されているユーザ・インターフェースを介して入力されることを特徴とする方法。
【請求項３】
請求項１記載の方法において、前記提供するステップの結果である出力は、前記サーチ・クエリを提供した前記１つのクライアントの指示を含み、前記サーチ結果はユーザ・インターフェースにおいて前記サーチ結果と共に同時に表示されることを特徴とする方法。
【請求項４】
請求項１記載の方法において、前記サーチ結果は前記少なくとも１つのクライアントによってローカルに記憶された少なくとも１つのコンテンツ・アイテムを引用することを特徴とする方法。
【請求項５】
請求項１記載の方法において、前記クライアントはピア・ツー・ピア・ネットワークを介して相互に通信可能な態様で結合されていることを特徴とする方法。
【請求項６】
請求項１記載の方法において、前記サーチ結果のスポンサーシップを提供するステップを更に含むことを特徴とする方法。
【請求項７】
コンピュータ実行可能な命令を含む１つ又は複数のコンピュータ可読媒体であって、
前記命令は、実行されると、コンピュータに対して、
サーチ・クエリと選択されたサーチ・オプションとに基づいてサーチを開始するように選択可能である指示を出力し、その結果を、インスタント・メッセージング・セッションに参加する複数のクライアントの中の少なくとも１つのクライアントによって出力させること、
ポップ・アップ・メニュによってサーチ・オプションを提供することであって、前記サーチ・オプションが、（i）前記インスタント・メッセージング・セッションに参加する複数のクライアントの中の少なくとも１つのクライアントの近くでサーチすること、（ii）前記インスタント・メッセージング・セッションに参加する他のクライアントの近くでサーチすること、（iii）前記インスタント・メッセージング・セッションに参加する複数のクライアントの中の少なくとも１つのクライアントと前記インスタント・メッセージング・セッションに参加する他のクライアントとの間でサーチすること、及び（iv）前記インスタント・メッセージング・セッションに参加する複数のクライアントの中の少なくとも１つのクライアント又は前記インスタント・メッセージング・セッションに参加する他のクライアントによって指定される特定の場所でサーチすることを含むこと、
を行わせることを特徴とする１つ又は複数のコンピュータ可読媒体。
【請求項８】
請求項７記載の１つ又は複数のコンピュータ可読媒体において、前記指示はインスタント・メッセージを表示するように構成されているユーザ・インターフェースの中に表示可能であることを特徴とする１つ又は複数のコンピュータ可読な記憶媒体。
【請求項９】
請求項７記載の１つ又は複数のコンピュータ可読媒体において、インスタント・メッセージの通信を生じさせるように選択可能である別の指示を更に含むことを特徴とする１つ又は複数のコンピュータ可読媒体。
【請求項１０】
請求項７記載の１つ又は複数のコンピュータ可読媒体において、前記指示はサーチ・ボタン又はドロップダウン・メニュとして表示可能であることを特徴とする１つ又は複数のコンピュータ可読媒体。
【請求項１１】
コンピュータ実行可能な命令を含む１つ又は複数のコンピュータ可読媒体であって、
前記命令は、実行されると、インスタント・メッセージング・セッションに参加する複数のクライアントの中の第１のクライアントに対して、前記複数のクライアントの中の第２のクライアントからのサーチ・クエリの受け取り時に、以下の動作、すなわち、
前記第１のクライアントのユーザに対して、前記サーチ・クエリがリクエストされたことを示し且つ前記ユーザにサーチの実行を受理する又は断ることを許容する通知を表示すること、
ポップ・アップ・メニュによってサーチ・オプションを提供することであっって、前記サーチ・オプションが、（i）前記サーチの開始者の近くでサーチすること、（ii）前記サーチの開始者以外の、前記インスタント・メッセージング・セッションに参加する複数のクライアントの中の少なくとも１つのクライアントの近くでサーチすること、（iii）前記サーチの開始者と、前記サーチの開始者以外の、前記インスタント・メッセージング・セッションに参加する複数のクライアントの中の少なくとも１つのクライアントとの間でサーチすること、及び（iv）特定の場所でサーチすることを含むこと、
前記第１のクライアントのユーザが前記サーチの実行を許容するならば、前記サーチ・クエリと選択されたサーチ・オプションとを用いて前記サーチを実行すること、及び
前記インスタント・メッセージング・セッションに関係する複数のクライアントによりユーザ・インターフェースにおける出力のためにサーチ結果を受け取ること、
を実行させることを特徴とする１つ又は複数のコンピュータ可読媒体。
【請求項１２】
請求項１１記載の１つ又は複数のコンピュータ可読媒体において、前記サーチ結果は前記１つのクライアントによって別のクライアントに転送されるように構成されていることを特徴とする１つ又は複数のコンピュータ可読媒体。
【請求項１３】
請求項１１記載の１つ又は複数のコンピュータ可読媒体において、前記サーチ結果はサービス・プロバイダによりネットワークを介して前記クライアントのそれぞれに対して出力されるように構成されていることを特徴とする１つ又は複数のコンピュータ可読媒体。
【請求項１４】
請求項１１記載の１つ又は複数のコンピュータ可読媒体において、前記ユーザ・インターフェースは前記複数のクライアントによって通信されるインスタント・メッセージを表示するように構成されていることを特徴とする１つ又は複数のコンピュータ可読媒体。
【請求項１５】
請求項１１記載の１つ又は複数のコンピュータ可読媒体において、前記サーチ結果は、前記サーチを開始した前記クライアントと前記サーチを実行するのに用いられたサーチ・クエリとに関する指示と共に同時に出力されるように構成されていることを特徴とする１つ又は複数のコンピュータ可読媒体。